(57)【要約】【課題】シンプルな構成で装飾的な照明が可能なスピーカ装置を提供する。【解決手段】スピーカ装置は、壁面と所定距離を隔てて配置される。スピーカ装置は、スピーカグリル、スピーカユニット、および、発光部を有している。スピーカグリルは、筐体の壁面に対向する表面に設けられ、複数の穴が形成されている。スピーカユニットは、スピーカグリルの内側に設けられ、壁面に向けて放音する。発光部は、スピーカグリルの内側に設けられ、スピーカグリル越しに壁面に向けて光を照射する。【選択図】図５
2014230066.tif 000002
【特許請求の範囲】
【請求項１】
壁面と所定距離を隔てて配置されるスピーカ装置であって、
筐体の前記壁面に対向する表面に設けられ、複数の穴が形成されたスピーカグリルと、
前記スピーカグリルの内側に設けられ、前記壁面に向けて放音するスピーカユニットと、
前記スピーカグリルの内側に設けられ、前記スピーカグリル越しに前記壁面に向けて光を照射する発光部と、
を備えたスピーカ装置。
【請求項２】
前記スピーカグリルは、エキスパンドメタルまたはパンチングメタルにより形成されている請求項１に記載のスピーカ装置。
【請求項３】
前記筐体は、略四角柱状であり、
前記スピーカグリルは、前記筐体の隣接する２つの側面にわたって設けられた、請求項１または２に記載のスピーカ装置。
【請求項４】
前記発光部は複数の発光素子を有し、該複数の発光素子は、前記隣接する２つの側面の接辺に沿って配列されている請求項３に記載のスピーカ装置。
【発明の詳細な説明】
【技術分野】
【０００１】
本発明は、照明を備えたスピーカ装置に関する。
【背景技術】
【０００２】
スピーカ装置を音響機器として用いるのみでなく装飾的な照明として用いる提案がなされている。たとえば、特許文献１には、スピーカボックスの内側に光源や回転体を設けて、スピーカボックスの開口部から回転体の表面で反射した光をスピーカボックスの外部に照射する構成のオーディオシステムの発明が開示されている。
【先行技術文献】
【特許文献】
【０００３】
【特許文献１】特開平１１−０７５２７７号公報
【発明の概要】
【発明が解決しようとする課題】
【０００４】
特許文献１に記載のスピーカ装置では、スピーカボックスから光が照射され、放音される音声に合わせてその光が回転して装飾的な効果を発生するが、回転体やモータをスピーカボックス内に設けて、回転体をモータで回転させる構成であるため、装置が大型化、複雑化してしまうという問題がある。
【０００５】
そこで、本発明は、シンプルな構成で装飾的な照明が可能なスピーカ装置を提供することを目的とする。
【課題を解決するための手段】
【０００６】
この発明のスピーカ装置は、壁面と所定距離を隔てて配置され、スピーカグリル、スピーカユニット、および、発光部を備えている。スピーカグリルは、筐体の壁面に対向する表面に設けられ、複数の穴が形成されている。スピーカユニットは、スピーカグリルの内側に設けられ、壁面に向けて放音する。発光部は、スピーカグリルの内側に設けられ、スピーカグリル越しに壁面に向けて光を照射する。
【０００７】
この構成では、スピーカーユニットが壁の反射を利用して音を再生しており、スピーカグリル内側で発光部が発光すると、スピーカグリルを介して壁に光が照射される。スピーカグリルには複数の穴が形成されているので、その穴のパターンに応じた影がスピーカユニットの音が反射で利用する壁に投影される。このように、シンプルな構成であるため、例えば柱状の細長い筐体であっても本発明の適用が可能である。照明の構成がシンプルであり、また小型化も容易であり、例えば柱状の細長い筐体にも発明を適用できる。また、スピーカグリルは、エキスパンドメタルまたはパンチングメタルにより形成されてもよい。
【０００８】
上記発明において、筐体は、略四角柱状であり、スピーカグリルは、筐体の隣接する２つの側面にわたって設けられている。
【０００９】
筐体の隣接する２つの側面にわたってスピーカグリルが湾曲して設けられていることにより、投影される光と影のパターンがより複雑化して装飾性を高めることができる。また、スピーカグリルの開口の角度が広がることから、発光部によって光が照射される範囲を広くでき、照明の効果を高めることができる。
【００１０】
上記発明において、発光部に複数の発光素子を設け、複数の発光素子をスピーカグリルの稜線に沿って配列してもよい。複数の発光素子を配列することにより、投影される光と影のパターンが重なり合ってより複雑化し、装飾的効果を高めることができる。
【発明の効果】
【００１１】
この発明によれば、スピーカユニットが壁面に向くように設置されるスピーカ装置で、スピーカユニットの保護として利用されるスピーカグリルを装飾的な照明の形成に兼用することにより、シンプルな構成で装飾的な照明が可能なスピーカ装置が実現される。
【図面の簡単な説明】
【００１２】
【図１】この発明の実施形態に係るスピーカ装置の外観図
【図２】スピーカグリルを取り外したスピーカ装置の外観図
【図３】スピーカグリルの網目形状の例を示す図
【図４】スピーカ装置の設置形態の一例を示す図
【図５】ＬＥＤの光がスピーカグリルを通過することによって投影される影の重なりの形態を説明する図
【図６】スピーカ装置から壁に投影される影の一例を示す図
【図７】スピーカ装置から壁に投影される影の一例を示す図
【図８】スピーカ装置から壁に投影される影の一例を示す図
【発明を実施するための形態】
【００１３】
図面を参照して本発明の実施形態に係るスピーカ装置について説明する。まず、スピーカ装置の構成について説明する。図１は、この発明の実施形態に係るスピーカ装置の外観図であり、図１（Ａ）が正面図、図１（Ｂ）が右側面図、図１（Ｃ）が背面図である。図２は、スピーカグリルを取り外したスピーカ装置の外観図であり、図２(Ａ)が右側面図、図２（Ｂ）が背面図である。
【００１４】
本発明の実施形態に係るスピーカ装置１は、複数のスピーカが収容される筐体１１、筺体１１を床面から支持する円板状のベース１４、および、筺体１１とベース１４とを接続する棒状のピロー１３を備えている。筐体１１は、ピロー１３およびベース１４によって支持されて鉛直方向に立設される。
【００１５】
筐体１１は、略四角柱の形状をなしており、上方向に向けて若干幅が狭まっている。すなわち、正確には四角錐台形状（四角錐の頂点側（頭部）を底面に平行な面で水平に切削した形状）である。筐体１１の側面は、鉛直線に対して２パーセント傾斜している。スピーカ装置１は、２つの側面に挟まれる稜線部１９を正面（ユーザ方向）にして設置される。以下の説明では、正面方向を前方、背面方向を後方と呼ぶ。また、左右の方向は、正面方向のユーザからスピーカ装置１を見たときの方向を用いる。
【００１６】
このスピーカ装置１では、スピーカユニットは、前向きでなく後ろ向きに設けられている。このため、図１（Ｂ），（Ｃ）に示されるように、筺体１１の背面側にスピーカグリル１２が設けられている。これにより、スピーカ装置１の正面側には、スピーカグリル１２を設ける必要がなくなり、筐体１１前面の稜線部１９には、装飾用のＬＥＤ１６が設けられている。
【００１７】
筐体１１の内部は、２枚の仕切り板によって仕切られており、上下方向に３つの空間を有する構造になっている。上部の空間がスピーカユニット２０を収容する上向きスピーカボックス３０、中央部の空間がスピーカユニット２１、２２を収容する背面スピーカボックス３１、下部の空間が電子回路（不図示）を収容する回路ボックス３２として用いられる。
【００１８】
背面スピーカボックス３１は、背面側の隣接する２つの側面にわたって開口しており、この開口部にバッフル板２４が設けられている。このバッフル板２４は、平面ではなく、開口部における筺体１１の形状に合わせて左右に湾曲している。このバッフル板２４に、スピーカユニット２１、２２、バスレフポート２３、および、複数のＬＥＤ２５が取り付けられている。スピーカユニット２１は、右チャンネルのスピーカユニットであり、斜め右後方に向けて取り付けられている。スピーカユニット２２は、左チャンネルのスピーカユニットであり、斜め左後方に向けて取り付けられている。バスレフポート２３は、ダクトを介してステレオスピーカボックス３１内部に開口している。バッフル板２４の稜線部（背面から見た正面）には、複数のＬＥＤ２５が縦方向に配列されて設けられている。この図には、ＬＥＤ２５が５つ設けられた例を示している。
【００１９】
バッフル板２４は、スピーカグリル１２に覆われている。図１に示すように、スピーカグリル１２は、ほぼ筺体１１と面一に形成されており、左右に湾曲している。スピーカグリル１２は、スピーカーユニット２１，２２の保護を第一の目的とする、複数の孔が形成された網目状の板材であり、例えば、図３（Ａ）に示すエキスパンドメタルや、図３(Ｂ）に示すパンチングメタルなどが用いられる。
【００２０】
また、上向きスピーカボックス３０は上面に開口しており、この開口部にスピーカユニット２０が上向きに取り付けられている。スピーカユニット２０のさらに上には、スピーカユニット２０から放音された音声を前方に反射するヘッドピース１０が設けられている。ヘッドピース１０は、ＬＥＤ（不図示）を内蔵している。スピーカ装置１の動作時には、このＬＥＤが点灯してヘッドピース１０の内面が装飾的に照明される。
【００２１】
図４は、スピーカ装置１の設置形態の一例を示す図である。図５は、ＬＥＤ２５の光がスピーカグリル１２を透過する形態を説明する図である。図４に示すように、スピーカ装置１は、部屋の隅や壁面に沿って壁８０を背にして設置される。正面側には、スピーカユニットやスピーカグリルがなく装飾的にＬＥＤ１６が設けられており、また、スピーカグリル１２内に設けられているＬＥＤ２５の光が、壁８０に向けて投射されるため、スピーカーグリル１２の紋様が壁８０に投影され、一般のスピーカ装置とは異なり装飾的なインテリアとしても機能する。
【００２２】
スピーカグリル１２の内部に設けられている複数（５つ）のＬＥＤ２５が発光すると、各ＬＥＤ２５の光は、それぞれスピーカグリル１２の網の目によって光と影のパターン（紋様）となる。そして、各ＬＥＤ２５のパターンは、図５に示すように、互いに重なり合いながら壁８０に投影される。図５では、スピーカグリル１２を１本の線で表しているが、スピーカグリル１２は、図１に示したように、筐体１１の形状に合わせて左右に湾曲しているため、壁８０に投影されるパターンがより複雑になり、装飾性を高めることができる。
【００２３】
図６〜図８は、スピーカ装置から壁８０に投影されるＬＥＤ２５の光と影のパターンを示す図である。図６はスピーカグリル１２としてエキスパンドメタルを横向きに用いた例を示している。図７はスピーカグリル１２としてエキスパンドメタルを縦向きに用いた例を示している。また、図８はスピーカグリル１２としてパンチングメタルを横向きに用いた例を示している。
【００２４】
エキスパンドメタルを横向きに用いると、図３（Ａ）に示したような横長の菱形の開口パターンを持つスピーカグリル１２となる。この開口パターンを透過した複数の光が重なり合うと、図６に示すような横斜め方向に広がりのある交差した光と影のパターンが壁８０に投影される。
【００２５】
エキスパンドメタルを縦向きに用いると、図３（Ａ）に示した形状を９０度回転させた縦長の菱形の開口パターンを持つスピーカグリル１２となる。この開口パターンを透過した複数の光が重なり合うと、図７に示すような縦斜め方向に広がりのある交差した光と影のパターンが壁８０に投影される。
【００２６】
パンチングメタルを用いると、図３（Ｂ）に示したような丸穴が規則的に配列された開口パターンを持つスピーカグリル１２となる。この開口パターンを透過した複数の光が重なり合うと、図８に示すような縦横に規則的に繰り返される光と影のパターンが壁８０に投影される。
【００２７】
なお、各ＬＥＤ２５との間隔は、等間隔であってもそれぞれ異なる間隔であってもよい。また、複数のＬＥＤ２５は、全て常時点灯していてもよいが、それぞれタイミングを変えて順次点滅を繰り返すようにしてもよい。これにより、投影されるパターンを変化させることができる。
【００２８】
なお、スピーカ装置１の筐体１１の形状は四角錐台形状に限るものではなく、円錐台形状、円柱状、多角柱状などの柱状や直方体などの形状でもよく、この発明の趣旨を損なわない範囲で変形は自由である。また、スピーカ装置の正面にスピーカユニットと照明（発光部）を配置し、正面を壁面に対向させるような配置で用いられるスピーカ装置もこの発明の技術的範囲に属する。
【符号の説明】
【００２９】
１  スピーカ装置
１１  筐体
１２  スピーカグリル
１３  ピロー
１４  ベース
２１，２２  スピーカユニット
２４  バッフル板
２５  ＬＥＤ（発光素子）
【図１】
2014230066.tif 000003
【図２】
2014230066.tif 000004
【図３】
2014230066.tif 000005
【図４】
2014230066.tif 000006
【図５】
2014230066.tif 000007
【図６】
2014230066.tif 000008
【図７】
2014230066.tif 000009
【図８】
2014230066.tif 000010